【手続補正書】
【提出日】平成24年3月23日(2012.3.23)
【手続補正１】
【補正対象書類名】特許請求の範囲
【補正対象項目名】全文
【補正方法】変更
【補正の内容】
【特許請求の範囲】
【請求項１】
複数のレンズと、
光軸方向前端部と後端部との双方に開口して内壁と外壁とを有し、該内壁に囲まれた内部に前記複数のレンズを保持するレンズ保持部材と、
光軸方向前端部と後端部との双方に開口した中空形状であって、内面と、外面と、前記複数のレンズのうちの最後端側に配備される後端側レンズの後端側の面の周縁部分を押さえる後端側レンズ押さえ部とを有し、該内面に囲まれた内部に前記レンズ保持部材を支持するレンズ枠と、
前記レンズ枠に支持され、該レンズ枠に支持された前記レンズ保持部材に保持された前記複数のレンズのうちの最前端側に配備される前端側レンズの前端側の面の周縁部分を押さえる押さえ環とを備え、
前記レンズ保持部材が、前記複数のレンズおよび前記レンズ枠双方の硬度よりも低い硬度を有するものであることを特徴とするレンズ鏡胴。
【請求項２】
複数のレンズと、
光軸方向前端部と後端部との双方に開口し、内壁と、外壁と、前記複数のレンズのうちの最前端側に配備される前端側レンズの前端側の面の周縁部分を覆う前端側レンズ覆い部とを有し、該内壁に囲まれた内部に前記複数のレンズを保持するレンズ保持部材と、
光軸方向両端に開口した中空形状であって、内面と、外面と、前記複数のレンズのうちの最後端側に配備される後端側レンズの後端側の面の周縁部分を押さえる後端側レンズ押さえ部とを有し、該内面に囲まれた内部に前記レンズ保持部材を支持するレンズ枠と、
前記レンズ枠に支持され、該レンズ枠に支持された前記レンズ保持部材に保持された前記複数のレンズのうちの最前端側に配備される前端側レンズの前端側の面の周縁部分を、前記レンズ保持部材の前端側レンズ覆い部を介在させた状態で押さえる押さえ環とを備え、
前記レンズ保持部材が、前記複数のレンズおよび前記レンズ枠双方の硬度よりも低い硬度を有するものであることを特徴とするレンズ鏡胴。
【請求項３】
前記複数のレンズのそれぞれの外径と前記レンズ保持部材の内壁との間、および該レンズ保持部材の外壁と前記レンズ枠の内面との間に、それぞれクリアランスを有し、該クリアランスは５μｍ以上２０μｍ以下である請求項１または２記載のレンズ鏡胴。
【請求項４】
前記クリアランスは、１０μｍ以下である請求項３記載のレンズ鏡胴。
【請求項５】
前記レンズ枠が、セラミック製である請求項１から４のうちのいずれか１項記載のレンズ鏡胴。
【請求項６】
前記レンズ保持部材の光軸方向前端又は後端に隣接した位置に、該レンズ保持部材の光軸方向への伸縮を許容する隙間が形成されている請求項１から５のうちのいずれか１項記載のレンズ鏡胴。
【請求項７】
前記レンズ保持部材が、樹脂製部材である請求項１から６のうちのいずれか１項記載のレンズ鏡胴。
【請求項８】
前記複数のレンズにおける隣接するレンズ間に配置されて該複数のレンズとともに前記レンズ保持部材に保持された間隔環をさらに備えた請求項１から７のうちのいずれか１項記載のレンズ鏡胴。
【請求項９】
前記レンズ保持部材が、前記複数のレンズを周回方向全周にわたって保持するものである請求項１から８のうちのいずれか１項記載のレンズ鏡胴。
【請求項１０】
前記レンズ保持部材が、前端側に一周にわたって連続する筒部と、後端側が周回方向に断続し光軸方向に延在した少なくとも３本の延在部とを有し、前記複数のレンズのうちの少なくとも一部のレンズは前記延在部に保持されたものである請求項１から９のうちのいずれか１項記載のレンズ鏡胴。
【請求項１１】
前記レンズ枠が、該レンズ枠内面に、光軸方向に延び周回方向に交互に形成された、前記レンズ保持部材の前記延在部を収容する凹溝と、該凹溝同士の間に形成された突条とを有するものである請求項１０記載のレンズ鏡胴。
【請求項１２】
前記複数のレンズのそれぞれの外径と前記レンズ保持部材の内壁との間に第１のクリアランスを有し、該複数のレンズのそれぞれの外径と前記レンズ枠の内面の突条との間に第２のクリアランスを有し、該第２のクリアランスは、該第１のクリアランスよりも大きく、かつ、３０μｍ以下である請求項１１項記載のレンズ鏡胴。
【請求項１３】
前記第２のクリアランスは、１５μｍ以下である請求項１２記載のレンズ鏡胴。
【請求項１４】
光軸方向前端部と後端部との双方に開口して内壁と外壁とを有するレンズ保持部材の該内壁に囲まれた内部に複数のレンズを保持させ、
光軸方向前端部と後端部との双方に開口した中空形状であって、内面と、外面と、前記複数のレンズのうちの最後端側に配備される後端側レンズの後端側の面の周縁部分を押さえる後端側レンズ押さえ部とを有するレンズ枠内に、該複数のレンズを保持させた状態のレンズ保持部材を挿入し、
前記レンズ枠内に挿入された前記レンズ保持部材に保持された前記複数のレンズのうちの最前端側に配備される前端側レンズの前端側の面の周縁部分を押さえる押さえ環を前記レンズ枠に取り付けることを特徴とするレンズ鏡胴組立方法。
【請求項１５】
光軸方向前端部と後端部との双方に開口した中空形状であって、内面と、外面と、複数のレンズのうちの最後端側に配備される後端側レンズの後端側の面の周縁部分を押さえる後端側レンズ押さえ部とを有するレンズ枠内に、光軸方向前端部と後端部との双方に開口して内壁と外壁とを有するレンズ保持部材を挿入し、
前記レンズ枠内に挿入された状態の前記レンズ保持部材の前記内壁に囲まれた内部に前記複数のレンズを保持させ、
前記レンズ枠内に挿入された前記レンズ保持部材に保持された前記複数のレンズのうちの最前端側に配備される前端側レンズの前端側の面の周縁部分を押さえる押さえ環を前記レンズ枠に取り付けることを特徴とするレンズ鏡胴組立方法。
【請求項１６】
光軸方向前端部と後端部との双方に開口し、内壁と、外壁と、複数のレンズのうちの最前端側に配備される前端側レンズの前端側の面の周縁部分を覆う前端側レンズ覆い部とを有するレンズ保持部材の該内壁に囲まれた内部に前記複数のレンズを保持させ、
光軸方向両端に開口した中空形状であって、内面と、外面と、前記複数のレンズのうちの最後端側に配備される後端側レンズの後端側の面の周縁部分を押さえる後端側レンズ押さえ部とを有するレンズ枠内に、該複数のレンズを保持させた状態のレンズ保持部材を挿入し、
前記レンズ枠内に挿入された前記レンズ保持部材に保持された前記複数のレンズのうちの最前端側に配備された前端側レンズの前端側の面の周縁部分を、前記レンズ保持部材の前端側レンズ覆い部を介在させた状態で押さえる押さえ環を前記レンズ枠に取り付けることを特徴とするレンズ鏡胴組立方法。
【手続補正２】
【補正対象書類名】明細書
【補正対象項目名】００１４
【補正方法】変更
【補正の内容】
【００１４】
また、上記目的を達成する本発明のレンズ鏡胴のうちの第２のレンズ鏡胴は、
複数のレンズと、
光軸方向前端部と後端部との双方に開口し、内壁と、外壁と、上記複数のレンズのうちの最前端側に配備される前端側レンズの前端側の面の周縁部分を覆う前端側レンズ覆い部とを有し、この内壁に囲まれた内部に上記複数のレンズを保持するレンズ保持部材と、
光軸方向両端に開口した中空形状であって、内面と、外面と、上記複数のレンズのうちの最後端側に配備される後端側レンズの後端側の面の周縁部分を押さえる後端側レンズ押さえ部とを有し、この内面に囲まれた内部に上記レンズ保持部材を支持するレンズ枠と、
上記レンズ枠に支持され、このレンズ枠に支持された上記レンズ保持部材に保持された上記複数のレンズのうちの最前端側に配備される前端側レンズの前端側の面の周縁部分を、上記レンズ保持部材の前端側レンズ覆い部を介在させた状態で押さえる押さえ環とを備え、
上記レンズ保持部材が、上記複数のレンズおよび上記レンズ枠双方の硬度よりも低い硬度を有するものであることを特徴とする。
【手続補正３】
【補正対象書類名】明細書
【補正対象項目名】００１７
【補正方法】変更
【補正の内容】
【００１７】
ここで、複数のレンズのそれぞれの外径とレンズ保持部材の内壁との間、およびレンズ保持部材の外壁とレンズ枠の内面との間に、それぞれクリアランスを有し、それらクリアランスは５μｍ以上２０μｍ以下であることが好ましく、１０μｍ以下であることが更に好ましい。
このような好ましい態様によれば、レンズの軸ズレが５μｍ以上２０μｍ以下或いは１０μｍ以下となるため、大幅に軸ズレが発生することなく、光学性能の低下が抑制される。
また、ここで、本発明のレンズ鏡胴は、上記レンズ枠が、セラミック製であることが好ましい。
【手続補正４】
【補正対象書類名】明細書
【補正対象項目名】００３０
【補正方法】変更
【補正の内容】
【００３０】
このような好ましい形態によれば、複数のレンズが確実に保持される。
また、ここで、複数のレンズのそれぞれの外径とレンズ保持部材の内壁との間に第１のクリアランスを有し、複数のレンズのそれぞれの外径とレンズ枠の内面の突条との間に第２のクリアランスを有し、第２のクリアランスは、第１のクリアランスよりも大きく、３０μｍ以下であることが好ましく、１５μｍ以下であることが更に好ましい。
このような好ましい態様によれば、レンズ挿入時にレンズとレンズ枠の内面の突条とが接触することなく、レンズの軸ズレなどによる光学性能の低下が抑制される。
【手続補正５】
【補正対象書類名】明細書
【補正対象項目名】００５９
【補正方法】変更
【補正の内容】
【００５９】
また、このように構成されたレンズ鏡胴２００において、４つのレンズ１１１，１１２，１１３，１１４それぞれの外径とレンズ保持部材２３０の内壁２３１との間、およびレンズ保持部材２３０の外壁２３２とレンズ枠２４０の内面２４１との間は、レンズの軸ズレなどによる光学性能の低下を起さないよう、例えば５μｍ以上２０μｍ以下のクリアランス、好ましくは１０μｍ以下のクリアランスとなるように公差管理されている。また、４つのレンズ１１１，１１２，１１３，１１４それぞれの外径とレンズ枠２４０内面２４１の突条２４１２との間は、レンズ挿入時に接触しないよう、４つのレンズ１１１，１１２，１１３，１１４それぞれの外径とレンズ保持部材２３０の内壁２３１との間の第１のクリアランスよりも大きい第２のクリアランスが設けられている。ただし、この第２のクリアランスは、レンズの軸ズレなどによる光学性能の低下を起さない限度に、例えば３０μｍ以下、好ましくは１５μｍ以下に設定されている。